(57)【要約】      （修正有）【課題】固定状態と可動状態とを切り替える際の操作性を向上させたシャワーハンガーを提供する。【解決手段】シャワーヘッドを保持するフック部と、スライドバーが挿通される貫通孔部と、を有する本体部と、スライドバーに対する本体部の位置を調整可能な可動状態と、調整不能な固定状態に切り替え可能な切替部を備え、切替部は、本体部に対して回動可能なハンドル部と、ハンドル部と共に回動自在に本体部に係合され、一端に第１の螺旋部が設けられた連結部と、第１の螺旋部の螺旋形状と合致するように第１の螺旋部との当接部に第２の螺旋部が設けられ、スライドバーに対する当接状態と離間状態とが切替えられる押し当て部材と、を有し、押し当て部材は、連結部の回動力によっては共回りしないように回動規制されつつ、第１の螺旋部と第２の螺旋部との当接部を介して伝達されたハンドル部からの作動力により貫通孔部に対して進退可能とされたシャワーハンガー。【選択図】図２
2010106557.tif 000002
【特許請求の範囲】
【請求項１】
シャワーヘッドを保持するフック部と、スライドバーが挿通される貫通孔部と、を有する本体部と、
前記貫通孔部に挿通された前記スライドバーに対する前記本体部の位置を調整可能な可動状態と、調整不能な固定状態と、を切り替え可能な切替部と、
を備え、
前記切替部は、
前記本体部に対して回動可能なハンドル部と、
前記ハンドル部と共に回動自在に前記本体部に係合され、一端に螺旋形状の第１の螺旋部が設けられた連結部と、
前記第１の螺旋部の螺旋形状と合致するように前記第１の螺旋部との当接部に第２の螺旋部が設けられ、前記スライドバーに対する当接状態と離間状態とが切り替えられる押し当て部材と、
を有し、
前記押し当て部材は、前記連結部の回動力によっては共回りしないように回動規制されつつ、前記第１の螺旋部と前記第２の螺旋部との当接部を介して伝達された前記ハンドル部からの作動力により前記貫通孔部に対して進退可能とされたことを特徴とするシャワーハンガー。
【請求項２】
前記本体部および前記連結部には、ねじがそれぞれ設けられ、
前記連結部は、前記第１の螺旋部の螺旋方向と同方向に前記ねじを螺合することにより前記本体部に係合され、前記ハンドル部の回動により前記貫通孔部に対して進退可能とされたことを特徴とする請求項１記載のシャワーハンガー。
【請求項３】
前記連結部と、前記押し当て部と、は別体で形成されていることを特徴とする請求項１または２に記載のシャワーハンガー。
【発明の詳細な説明】
【技術分野】
【０００１】
本発明の態様は、一般的に、シャワーハンガーに関し、具体的にはスライドバーにスライド可能に装着されてシャワーヘッドを保持するシャワーハンガーに関する。
【背景技術】
【０００２】
浴室やシャワールームなどには、一般的に、シャワーヘッドを保持するシャワーハンガー（シャワーフック）が設置されている（特許文献１）。使用者は、シャワーヘッドを使用する場合には、そのシャワーヘッドをシャワーハンガーから取り外して吐水させたり、シャワーヘッドをシャワーハンガーに取り付けたまま吐水させたりする。なお、本願明細書において「水」という場合には、冷水のみならず、加熱されたお湯も含むものとする。そのため、シャワーハンガーの高さを調整することができれば、シャワーヘッドをシャワーハンガーに取り付けたまま吐水させる場合に、使用状況や使用者に応じて吐水位置を調整できるため便利である。
【０００３】
そこで、浴室やシャワールームの壁面などの固定部位に固定されたスライドバーに対してスライド可能に装着されたシャワーハンガーがある（特許文献２）。特許文献２に記載されたスライドハンガーは、軸心を横に向けた略円筒状に構成されたスライド部材と、このスライド部材の一方の開口部側に取り付けられたフック部材と、固定具と、スライドブッシュと、パッキンと、ハンドルと、を備える。
【０００４】
そして、このハンドルを一方向に回転し、スライドバー側に螺進させると、ハンドルの底壁面がスライドブッシュの一端部を押圧する。このとき、スライドブッシュの他端部がパッキンの一端部を押圧し、パッキンの他端部が挿通孔に僅かに進入する。これにより、パッキンの他端部は僅かに圧縮変形しつつ、スライドバーの外周面に当接し、スライドバーの外周面に摩擦力を与える。これにより、スライドハンガーのスライドバーに対する相対移動（スライド）が禁止され、スライドハンガーが固定状態となる。
【０００５】
しかしながら、特許文献２に記載された装置では、スライドブッシュやパッキンのスライドバーに対する進行距離は、ハンドルに設けられたねじのピッチに依存する。つまり、スライドブッシュやパッキンは、仮に圧縮変形しない場合であっても、ハンドルを一回転させたときには、ハンドルに設けられたねじの１ピッチ分だけしかスライドバーに対して前進できない。そのため、スライドバーに対するシャワーハンガーの固定状態と可動状態とを切り替える際、ハンドルの操作角が大きく、シャワーハンガーとしての操作性が良くないという問題がある。
【特許文献１】特開２００４−１３１９７５号公報
【特許文献２】特開２００６−３７５２９号公報
【発明の開示】
【発明が解決しようとする課題】
【０００６】
本発明の態様は、かかる課題の認識に基づいてなされたものであり、固定状態と可動状態とを切り替える際の操作性を向上させることができるシャワーハンガーを提供する。
【課題を解決するための手段】
【０００７】
本発明の一態様によれば、シャワーヘッドを保持するフック部と、スライドバーが挿通される貫通孔部と、を有する本体部と、前記貫通孔部に挿通された前記スライドバーに対する前記本体部の位置を調整可能な可動状態と、調整不能な固定状態と、を切り替え可能な切替部と、を備え、前記切替部は、前記本体部に対して回動可能なハンドル部と、前記ハンドル部と共に回動自在に前記本体部に係合され、一端に螺旋形状の第１の螺旋部が設けられた連結部と、前記第１の螺旋部の螺旋形状と合致するように前記第１の螺旋部との当接部に第２の螺旋部が設けられ、前記スライドバーに対する当接状態と離間状態とが切り替えられる押し当て部材と、を有し、前記押し当て部材は、前記連結部の回動力によっては共回りしないように回動規制されつつ、前記第１の螺旋部と前記第２の螺旋部との当接部を介して伝達された前記ハンドル部からの作動力により前記貫通孔部に対して進退可能とされたことを特徴とするシャワーハンガーが提供される。
【発明の効果】
【０００８】
本発明の態様によれば、固定状態と可動状態とを切り替える際の操作性を向上させることができるシャワーハンガーが提供される。
【発明を実施するための最良の形態】
【０００９】
第１の発明は、シャワーヘッドを保持するフック部と、スライドバーが挿通される貫通孔部と、を有する本体部と、前記貫通孔部に挿通された前記スライドバーに対する前記本体部の位置を調整可能な可動状態と、調整不能な固定状態と、を切り替え可能な切替部と、を備え、前記切替部は、前記本体部に対して回動可能なハンドル部と、前記ハンドル部と共に回動自在に前記本体部に係合され、一端に螺旋形状の第１の螺旋部が設けられた連結部と、前記第１の螺旋部の螺旋形状と合致するように前記第１の螺旋部との当接部に第２の螺旋部が設けられ、前記スライドバーに対する当接状態と離間状態とが切り替えられる押し当て部材と、を有し、前記押し当て部材は、前記連結部の回動力によっては共回りしないように回動規制されつつ、前記第１の螺旋部と前記第２の螺旋部との当接部を介して伝達された前記ハンドル部からの作動力により前記貫通孔部に対して進退可能とされたことを特徴とするシャワーハンガーである。
【００１０】
このシャワーハンガーによれば、第１および第２の螺旋部が設けられ、ハンドル部の回動角（連結部の回動角）と、第１および第２の螺旋部の高さと、に応じた距離の分だけ、押し当て部材を貫通孔部側に前進させることができる。そのため、ハンドル部の１回転における押し当て部材の前進距離がより長くなり、より小さなハンドル部の回動角（操作角）で、シャワーハンガーのスライドバーに対する固定状態と可動状態とを切り替えることができる。その結果、シャワーハンガーの操作性を向上させることができる。
【００１１】
また、第２の発明は、第１の発明において、前記本体部および前記連結部には、ねじがそれぞれ設けられ、前記連結部は、前記第１の螺旋部の螺旋方向と同方向に前記ねじを螺合することにより前記本体部に係合され、前記ハンドル部の回動により前記貫通孔部に対して進退可能とされたことを特徴とするシャワーハンガーである。
【００１２】
このシャワーハンガーによれば、連結部は、本体部に螺合されているため、ハンドル部と共に回動することにより本体部に対して移動できる。そのため、押し当て部材は、貫通孔部に対する連結部の前進距離と、連結部に対する押し当て部材の前進距離と、の合計の距離の分だけ貫通孔部側に前進できる。その結果、さらに小さなハンドル部の回動角（操作角）で、シャワーハンガーのスライドバーに対する固定状態と可動状態とを切り替えることができ、シャワーハンガーの操作性をさらに向上させることができる。  
また、押し当て部材は、貫通孔部に対する連結部の前進距離と、連結部に対する押し当て部材の前進距離と、の合計の距離の分だけ貫通孔部側に前進できるため、通常の雄ねじ及び雌ねじで進退する場合よりも、ハンドル部と貫通孔部との距離を小さくすることができる。
【００１３】
また、第３の発明は、第１または第２の発明において、前記連結部と、前記押し当て部と、は別体で形成されていることを特徴とするシャワーハンガーである。  
このシャワーハンガーによれば、押し当て部は、連結部との当接部、すなわち、第１の螺旋部と、第２の螺旋部と、の当接部を介して伝達されたハンドル部からの作動力を受けて貫通孔部に対して進退できる。
【００１４】
以下、本発明の実施の形態について図面を参照しつつ説明する。なお、各図面中、同様の構成要素には同一の符号を付して詳細な説明は適宜省略する。  
図１は、本実施形態にかかるシャワーハンガーが設置された浴室を例示する斜視模式図である。
【００１５】
図１に表した浴室は、主として、浴槽１００と、洗い場（床）２００と、水栓付カウンター３１０と、を備える。また、洗面器置台カウンター３２０や鏡３３０などが、適宜設けられていてもよい。これらは、壁面１０や、その周囲に設けられた図示しない壁面やドアによって画設された浴室内に配設されている。なお、壁面の一部に窓が設けられていてもよい。
【００１６】
水栓付カウンター３１０の下面には、図示しないシャワー用湯水供給口が形成され、そのシャワー用湯水供給口には、シャワーホース３４１の一端が接続されている。また、シャワーホース３４１の他端は、シャワーヘッド３４２に接続されている。
【００１７】
壁面１０には、スライドバー４２０を支持する支持部４１０が付設されている。スライドバー４２０は、その上端部および下端部において支持部４１０によって支持され、支持部４１０を介して壁面１０に取り付けられている。スライドバー４２０には、シャワーヘッド３４２を保持するシャワーハンガー４３０が取り付けられている。シャワーハンガー４３０は、上下方向に延在して設けられたスライドバー４２０に対して上下動自在に係合されている。つまり、シャワーヘッド３４２は、シャワーハンガー４３０に保持された状態でスライドバー４２０に沿って上下動可能となっている。また、スライドバー４２０は、手すりとしての機能を兼ねることもできる。
【００１８】
図２は、本実施形態にかかるシャワーハンガーを表す断面模式図である。  
また、図３は、本実施形態の連結部を表す斜視模式図である。  
また、図４は、本実施形態の押し当て部材を表す斜視模式図である。  
なお、図３（ａ）は、連結部の内部構造を表す断面模式図であり、図３（ｂ）に表したＢ−Ｂ断面図に相当し、図３（ｂ）は連結部を押し当て部材側から眺めた斜視模式図である。
【００１９】
本実施形態にかかるシャワーハンガー４３０は、図２に表したように、シャワーヘッド３４２を保持するフック部４４０と、スライドバー４２０が挿通される貫通孔部４５０と、を有する本体部４６１と、スライドバー４２０に対するフック部４４０の位置を調整可能な可動状態と調整不能な固定状態とを切り替え可能な切替部４６０と、を備える。つまり、シャワーハンガー４３０は、切替部４６０によって可動状態にされると、図２に表した矢印Ａのように、スライドバー４２０に対して上下方向に移動することができる。本体部４６１は、カバー４３１を有する。
【００２０】
切替部４６０は、使用者が本体部４６１に対して回動操作可能なハンドル部４６３と、ハンドル部４６３の回動に応じて貫通孔部４５０に対して進退可能な連結部４６５と、ハンドル部４６３の回動に応じてスライドバー４２０に対する当接状態と離間状態とが切り替えられる押し当て部材４６７と、を有する。
【００２１】
連結部４６５の外周には、図３（ａ）および図３（ｂ）に表したように、嵌合部４６５ａが設けられ、その嵌合部４６５ａはハンドル部４６３に設けられた図示しない嵌合部に嵌合されている。また、連結部４６５の一端には、固定部材孔４６５ｊが設けられている。そして、図２に表したように、固定部材５０１が固定部材孔４６５ｊに締結されることにより、連結部４６５はハンドル部４６３に対して一体的に固定されている。そのため、連結部４６５は、ハンドル部４６３と共に回動することができる。また、固定部材５０１を覆い隠すように、キャップ４６９がハンドル部４６３に取り付けられている。なお、ハンドル部４６３と連結部４６５とは、一体として形成されていてもよい。
【００２２】
また、本体部４６１の内部には、図２に表したように、雌ねじ４６１ａが設けられている。一方、連結部４６５の外周には、図３（ａ）および図３（ｂ）に表したように、雄ねじ４６５ｅが設けられている。そして、連結部４６５の雄ねじ４６５ｅと、本体部４６１の雌ねじ４６１ａと、は螺合されている。そのため、連結部４６５は、本体部４６１および貫通孔部４５０に対して進退可能とされている。つまり、連結部４６５は、本体部４６１に螺合されているため、ハンドル部４６３の回動と共に回動することにより、本体部４６１および貫通孔部４５０に対して進退可能とされている。なお、本体部４６１および連結部４６５の形状を適宜変更することにより、本体部４６１に雄ねじが設けられ、連結部に雌ねじが設けられるようにしてもよい。
【００２３】
押し当て部材４６７は、図４に表したように、突起部４６７ａと、スライドバー４２０に対して当接あるいは離間する押し当て部４６７ｂと、を有する。押し当て部材４６７の突起部４６７ａは、図２に表したように、連結部４６５に設けられた挿入孔４６５ｂに挿入されている。そして、連結部４６５の挿入孔４６５ｂの底部に設けられた第１の螺旋部４６５ｃと、押し当て部材４６７の突起部４６７ａの一端に設けられた第２の螺旋部４６７ｃと、は当接されている。
【００２４】
そのため、押し当て部材４６７は、連結部４６５を介して伝達されたハンドル部４６３からの作動力を受けて貫通孔部４５０側に前進することにより、スライドバー４２０に当接される。すなわち、押し当て部材４６７は、第１の螺旋部４６５ｃと、第２の螺旋部４６７ｃと、の当接部を介して伝達されたハンドル部４６３からの押し付け力を受けて貫通孔部４５０側に前進することにより、スライドバー４２０に当接される。
【００２５】
そして、押し当て部材４６７は、スライドバー４２０に摩擦力を与える。その結果、シャワーハンガー４３０は、スライドバー４２０に対して調整不能な固定状態となる。なお、押し当て部材４６７は、その外形においてカバー４３１により回動を規制されているため、ハンドル部４６３および連結部４６５の回動力を受けても共回りしない。
【００２６】
一方、押し当て部材４６７は、連結部４６５を介して伝達されたハンドル部４６３からの作動力を受けて貫通孔部４５０から後退する。この際、押し当て部材４６７は、ハンドル部４６３からの引き込み力を受けて後退するわけではなく、第１の螺旋部４６５ｃと、第２の螺旋部４６７ｃと、の当接部を介して伝達されたハンドル部４６３からの押し付け力が解除あるいは低減されることにより後退する。つまり、シャワーハンガー４３０が固定状態にある場合には、押し当て部材４６７はスライドバー４２０から反作用による抵抗力（反力）を受けているため、ハンドル部４６３からの押し付け力が解除あるいは低減されると、スライドバー４２０からの反力を受けて貫通孔部４５０から後退する。
【００２７】
押し当て部材４６７は、貫通孔部４５０から後退するとスライドバー４２０から離間してスライドバー４２０に摩擦力を与えなくなる。その結果、シャワーハンガー４３０は、スライドバー４２０に対して調整可能な可動状態となる。あるいは、押し当て部材４６７が貫通孔部４５０から後退すると、スライドバー４２０から離間しなくとも、押し当て部材４６７からスライドバー４２０への押し付け力は低下する。すなわち、押し当て部材４６７がスライドバー４２０に与える摩擦力は低下する。その結果、シャワーハンガー４３０は、スライドバー４２０に対して調整可能な可動状態となる。
【００２８】
ここで、前述したように、本体部４６１には雌ねじ４６１ａが設けられ、連結部４６５には雄ねじ４６５ｅが設けられている。そして、連結部４６５は、本体部４６１に螺合されているため、ハンドル部４６３の回動と共に回動することにより、貫通孔部４５０に対して進退可能とされている。そのため、ハンドル部４６３を一回転させたときには、連結部４６５は、雄ねじ４６５ｅおよび雌ねじ４６１ａの１ピッチ分だけ貫通孔部４５０に対して進退する。すなわち、雄ねじ４６５ｅおよび雌ねじ４６１ａのピッチＰが、例えば２ミリメートルである場合には、ハンドル部４６３を一回転させたときに、連結部４６５は２ミリメートルだけ貫通孔部４５０に対して進退する。
【００２９】
仮に、貫通孔部４５０に対する押し当て部材４６７の移動距離が、貫通孔部４５０に対する連結部４６５の移動距離に１対１で対応している場合には、押し当て部材４６７は、連結部４６５と同様に、ハンドル部４６３を一回転させたときには雄ねじ４６５ｅおよび雌ねじ４６１ａの１ピッチ分だけしか貫通孔部４５０に対して進退できない。すなわち、雄ねじ４６５ｅおよび雌ねじ４６１ａのピッチＰが、例えば２ミリメートルである場合には、ハンドル部４６３を一回転させたときに、押し当て部材４６７は２ミリメートルだけしか貫通孔部４５０に対して進退できない。
【００３０】
このような場合には、スライドバー４２０に対するシャワーハンガー４３０の固定状態と可動状態とを切り替える際、ハンドル部４６３の操作角が大きくなり、シャワーハンガー４３０の操作性はあまり良くない。また、雄ねじ４６５ｅおよび雌ねじ４６１ａのピッチＰを大きくすることも考えられるが、ピッチＰを大きくすると、一般的に、ねじの外径が大きくなり、シャワーハンガー４３０全体が大きくなるため好ましくない。
【００３１】
そこで、本実施形態にかかるシャワーハンガー４３０では、貫通孔部４５０に対する押し当て部材４６７の移動距離は、貫通孔部４５０に対する連結部４６５の移動距離に１対１では対応していない。このことについて、図面を参照しつつさらに詳細に説明する。
【００３２】
連結部４６５は、押し当て部材４６７との当接部に第１の螺旋部４６５ｃを有する。第１の螺旋部４６５ｃは、図３に表したように、螺旋状に形成されている。そして、この第１の螺旋部４６５ｃは、雄ねじ４６５ｅの螺旋方向と同方向に形成されている。これによれば、連結部４６５が貫通孔部４５０側に前進する場合には、押し当て部材４６７を貫通孔部４５０側に前進させることができる。
【００３３】
また、第１の螺旋部４６５ｃの一端４６５ｆと他端４６５ｇとの間には、螺旋壁面４６５ｄが形成されている。螺旋壁面４６５ｄに沿った一端４６５ｆと他端４６５ｇとの間の距離Ｃ（螺旋高さ）は、例えば約４ミリメートル程度である。但し、螺旋高さＣは、これだけに限定されず、適宜変更することができる。また、雄ねじ４６５ｅおよび雌ねじ４６１ａのピッチＰについても、適宜変更することができる。
【００３４】
一方、押し当て部材４６７は、連結部４６５との当接部に第２の螺旋部４６７ｃを有する。第２の螺旋部４６７ｃは、図４に表したように、螺旋状に形成されている。そして、この第２の螺旋部４６７ｃは、連結部４６５に設けられた第１の螺旋部４６５ｃと略全面において当接可能なように形成されている。つまり、第２の螺旋部４６７ｃは、第１の螺旋部４６５ｃと向き合うように設置された場合に、それぞれの螺旋状が略合致するように形成されている。
【００３５】
また、第２の螺旋部４６７ｃの一端４６７ｆと他端４６７ｇとの間には、螺旋壁面４６７ｄが形成されている。螺旋壁面４６７ｄに沿った一端４６７ｆと他端４６７ｇとの間の距離Ｄ（螺旋高さ）は、第１の螺旋部４６５ｃの螺旋高さＣと同様である。すなわち、第１の螺旋部４６５ｃの螺旋高さＣが４ミリメートルである場合には、第２の螺旋部４６７ｃの螺旋高さＤは４ミリメートルである。但し、螺旋高さＤは、これだけに限定されず、螺旋高さＣに応じて適宜変更することができる。
【００３６】
使用者がハンドル部４６３を回動させて、連結部４６５を貫通孔部４５０から最も後退させたときには、第１の螺旋部４６５ｃの一端４６５ｆと、第２の螺旋部４６７ｃの他端４６７ｇと、の位置は略一致している。また、このときには、第１の螺旋部４６５ｃの他端４６５ｇと、第２の螺旋部４６７ｃの一端４６７ｆと、の位置は略一致している。すなわち、使用者がハンドル部４６３を回動させて、連結部４６５を貫通孔部４５０から最も後退させたときには、螺旋壁面４６５ｄと螺旋壁面４６７ｄとは当接している。
【００３７】
この状態から、使用者がハンドル部４６３を回動させると、連結部４６５はハンドル部４６３に固定されているため、ハンドル部４６３と共に回動する。そうすると、連結部４６５は、本体部４６１に螺合されているため、ハンドル部４６３の回動角（操作角）と、雄ねじ４６５ｅ（雌ねじ４６１ａ）のピッチＰと、に応じた距離だけ貫通孔部４５０側に前進する。つまり、使用者がハンドル部４６３を一回転させたときには、連結部４６５は、雄ねじ４６５ｃ（雌ねじ４６１ａ）の１ピッチ分だけ貫通孔部４５０側に前進する。
【００３８】
さらに、連結部４６５はハンドル部４６３と共に回動するため、第１の螺旋部４６５ｃの他端４６５ｇは、第２の螺旋部４６７ｃの一端４６７ｆから他端４６７ｇに向かって第２の螺旋部４６７ｃ上を摺動する。そうすると、押し当て部材４６７は、ハンドル部４６３の回動角（連結部４６５の回動角）と、螺旋高さＣ（螺旋高さＤ）と、に応じた距離だけ連結部４６５側に前進する。つまり、使用者がハンドル部４６３を一回転させたときには、押し当て部材４６７は、螺旋高さＣ（螺旋高さＤ）分だけ連結部４６５側に前進する。
【００３９】
その結果、押し当て部材４６７は、貫通孔部４５０に対する連結部４６５の前進距離と、連結部４６５に対する押し当て部材４６７の前進距離と、の合計の距離の分だけ貫通孔部４５０側に前進する。すなわち、雄ねじ４６５ｅおよび雌ねじ４６１ａによる前進距離と、第１の螺旋部４６５ｃおよび第２の螺旋部４６７ｃによる前進距離と、の合計の距離の分だけ、押し当て部材４６７は貫通孔部４５０側に前進する。
【００４０】
そのため、例えば、雄ねじ４６５ｅおよび雌ねじ４６１ａのピッチＰが２ミリメートルであり、螺旋高さＣおよび螺旋高さＤが４ミリメートルであって、使用者がハンドル部４６３を一回転させた場合には、押し当て部材４６７は貫通孔部４５０側に６ミリメートルだけ前進する。但し、これは、押し当て部材４６７がスライドバー４２０に当接せずに、貫通孔部４５０側に前進し続けた場合の距離である。
【００４１】
これによれば、ハンドル部４６３の回動角（連結部４６５の回動角）と、螺旋高さＣ（螺旋高さＤ）と、に応じた距離の分だけ、押し当て部材４６７を貫通孔部４５０側にさらに前進させることができる。そのため、連結部４６５と押し当て部材４６７との当接部に第１の螺旋部４６５ｃおよび第２の螺旋部４６７ｃが設けられていない場合と比較して、より小さなハンドル部４６３の回動角（操作角）で、シャワーハンガー４３０のスライドバー４２０に対する固定状態と可動状態とを切り替えることができる。その結果、シャワーハンガー４３０の操作性を向上させることができる。
【００４２】
なお、本実施形態にかかるシャワーハンガー４３０では、連結部４６５と本体部４６１とが螺合されている場合を例に挙げて説明したが、これだけに限定されるわけではない。例えば、連結部４６５は、本体部４６１および貫通孔部４５０に対して進退せずに、ハンドル部４６３と共に回動自在に本体部４６１に係合されていてもよい。この場合であっても、連結部４６５は貫通孔部４５０側に前進しないが、ハンドル部４６３の回動角（連結部４６５の回動角）と、螺旋高さＣ（螺旋高さＤ）と、に応じた距離だけ連結部４６５側に押し当て部材４６７を前進させることができる。
【００４３】
これによれば、第１の螺旋部４６５ｃおよび第２の螺旋部４６７ｃが設けられていない場合であって、連結部４６５と本体部４６１とが螺合されているだけの場合と比較して、より小さなハンドル部４６３の回動角（操作角）で、シャワーハンガー４３０の固定状態と可動状態とを切り替えることができる。その結果、シャワーハンガー４３０の操作性を向上させることができる。
【００４４】
なお、使用者がハンドル部４６３を回動させて、連結部４６５を貫通孔部４５０に対して後退させ続けると、螺旋壁面４６５ｄと螺旋壁面４６７ｄとは当接する。つまり、前述したように、連結部４６５を貫通孔部４５０に対して最も後退させたときには、螺旋壁面４６５ｄと螺旋壁面４６７ｄとは当接する。そのため、使用者は、連結部４６５をさらに後退させる方向にはハンドル部４６３を回動させることはできない。これによれば、ハンドル部４６３がシャワーハンガー４３０から脱落することはない。
【００４５】
次に、連結部４６５および押し当て部材４６７の動作の具体例について、図面を参照しつつ説明する。なお、図２〜図４に関して前述したように、雄ねじ４６５ｅおよび雌ねじ４６１ａのピッチＰと、螺旋高さＣおよび螺旋高さＤと、については適宜変更可能であるが、説明の便宜上、雄ねじ４６５ｅおよび雌ねじ４６１ａのピッチＰが２ミリメートルであり、螺旋高さＣおよび螺旋高さＤが４ミリメートルである場合を例に挙げて、以下説明する。
【００４６】
図５は、連結部を貫通孔部に対して最も後退させた状態を表す断面模式図である。  
また、図６は、図５に表した状態から、連結部を貫通孔部側に前進させる方向にハンドル部を９０度だけ回動させた状態を表す断面模式図である。  
また、図７は、図５に表した状態から、連結部を貫通孔部側に前進させる方向にハンドル部を１８０度だけ回動させた状態を表す断面模式図である。
【００４７】
図５に表したように、連結部４６５が貫通孔部４５０に対して最も後退した位置にあるときには、螺旋壁面４６５ｄと螺旋壁面４６７ｄとは当接している。また、このときには、第１の螺旋部４６５ｃの一端４６５ｆと、第２の螺旋部４６７ｃの他端４６７ｇと、の位置は略一致している。ここで、連結部４６５におけるハンドル部４６３との当接部４６５ｉと、押し当て部材４６７における連結部４６５との当接部４６７ｈと、の間の距離をＦ１とする。また、このときの当接部４６５ｉの位置を基準Ｏとする。
【００４８】
続いて、図５に表した状態からハンドル部４６３を９０度だけ回動させると、連結部４６５はハンドル部４６３と共に９０度だけ回動するため、第１の螺旋部４６５ｃの一端４６５ｆは図６に表した位置まで移動する。そして、螺旋高さＣは４ミリメートルであるため、押し当て部材４６７は、螺旋高さＣの４分の１（３６０度分の９０度）の距離に相当する１ミリメートルだけ連結部４６５に対して貫通孔部４５０側に前進する。そのため、図６に表した当接部４６５ｉと当接部４６７ｈとの間の距離Ｆ２は、図５に表した距離Ｆ１よりも１ミリメートルだけ長い。
【００４９】
さらに、連結部４６５は本体部４６１に螺合されており、その雄ねじ４６５ｅおよび雌ねじ４６１ａのピッチＰは２ミリメートルである。そのため、連結部４６５は、ピッチＰの４分の１（３６０度分の９０度）の距離に相当する０．５ミリメートルだけ本体部４６１（あるいは貫通孔部４５０）に対して貫通孔部４５０側に前進する。したがって、基準Ｏと、図６に表した当接部４６５ｉと、の間の距離Ｅ２は、０．５ミリメートルである。
【００５０】
その結果、押し当て部材４６７は、連結部４６５に対する押し当て部材４６７の前進距離（１ミリメートル）と、本体部４６１（あるいは貫通孔部４５０）に対する連結部４６５の前進距離（０．５ミリメートル）と、の合計の距離に相当する１．５ミリメートルだけ貫通孔部４５０側に前進する。これによれば、第１の螺旋部４６５ｃおよび第２の螺旋部４６７ｃが設けられていない場合と比較すると、ハンドル部４６３を９０度だけ回動させたときに、貫通孔部４５０に対する押し当て部材４６７の前進距離は１ミリメートルだけ長くなる。
【００５１】
なお、図２〜図４に関して前述したように、押し当て部材４６７は、その外形においてカバー４３１により回動を規制されているため、図５に表した押し当て部材４６７の断面形状と、図６に表した押し当て部材４６７の断面形状と、は相違しない。これは、図７に表した押し当て部材４６７の断面形状についても同様である。
【００５２】
続いて、ハンドル部４６３をさらに９０度、すなわち図５に表した状態からハンドル部４６３を１８０度だけ回動させる。そうすると、連結部４６５はハンドル部４６３と共にさらに９０度だけ回動するため、第１の螺旋部４６５ｃ上の点４６５ｈは図７に表した位置まで移動する。そして、図５に表した状態から、押し当て部材４６７は、螺旋高さＣの２分の１（３６０度分の１８０度）の距離に相当する２ミリメートルだけ連結部４６５に対して貫通孔部４５０側に前進する。そのため、図７に表した当接部４６５ｉと当接部４６７ｈとの間の距離Ｆ３は、図５に表した距離Ｆ１よりも２ミリメートルだけ長い。
【００５３】
さらに、図５に表した状態から、連結部４６５は、ピッチＰの２分の１（３６０度分の１８０度）の距離に相当する１ミリメートルだけ本体部４６１（あるいは貫通孔部４５０）に対して貫通孔部４５０側に前進する。したがって、基準Ｏと、図７に表した当接部４６５ｉと、の間の距離Ｅ３は、１ミリメートルである。
【００５４】
その結果、図５に表した状態から、押し当て部材４６７は、連結部４６５に対する押し当て部材４６７の前進距離（２ミリメートル）と、本体部４６１（あるいは貫通孔部４５０）に対する連結部４６５の前進距離（１ミリメートル）と、の合計の距離に相当する３ミリメートルだけ貫通孔部４５０側に前進する。これによれば、第１の螺旋部４６５ｃおよび第２の螺旋部４６７ｃが設けられていない場合と比較すると、ハンドル部４６３を１８０度だけ回動させたときに、貫通孔部４５０に対する押し当て部材４６７の前進距離は２ミリメートルだけ長くなる。
【００５５】
以上説明したように、本実施形態によれば、連結部４６５は、押し当て部材４６７との当接部に第１の螺旋部４６５ｃを有する。一方、押し当て部材４６７は、連結部４６５との当接部に第２の螺旋部４６７ｃを有する。そして、使用者がハンドル部４６３を回動させると、連結部４６５はハンドル部４６３と共に回動し、第１の螺旋部４６５ｃの他端４６５ｇは、第２の螺旋部４６７ｃの一端４６７ｆから他端４６７ｇに向かって第２の螺旋部４６７ｃ上を摺動する。これによれば、第１の螺旋部４６５ｃと第２の螺旋部４６７ｃとの当接部を介してハンドル部４６３からの作動力が押し当て部材４６７に伝達され、より小さなハンドル部４６３の回動角（操作角）で、シャワーハンガー４３０のスライドバー４２０に対する固定状態と可動状態とを切り替えることができる。その結果、シャワーハンガー４３０の操作性を向上させることができる。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、シャワーハンガー４３０などが備える各要素の形状、寸法、材質、配置などや、フック部４４０や貫通孔部４５０の設置形態などは、例示したものに限定されるわけではなく適宜変更することができる。  
また、例えば、連結部４６５および押し当て部材４６７には、螺旋壁面４６５ｄ、４６７ｄがそれぞれ１つずつ設けられているが、これだけに限定されず、２つ以上の複数の螺旋壁面が設けられていてもよい。例えば、第１の螺旋部４６５ｃ上に２つの螺旋壁面が設けられる場合には、それらの螺旋壁面は互いに１８０度だけずれた位置に配置される。これは、第２の螺旋部４６７ｃ上に２つの螺旋壁面が設けられる場合についても同様である。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５７】
【図１】本実施形態にかかるシャワーハンガーが設置された浴室を例示する斜視模式図である。
【図２】本実施形態にかかるシャワーハンガーを表す断面模式図である。
【図３】本実施形態の連結部を表す斜視模式図である。
【図４】本実施形態の押し当て部材を表す斜視模式図である。
【図５】連結部を貫通孔部に対して最も後退させた状態を表す断面模式図である。
【図６】図５に表した状態から、連結部を貫通孔部側に前進させる方向にハンドル部を９０度だけ回動させた状態を表す断面模式図である。
【図７】図５に表した状態から、連結部を貫通孔部側に前進させる方向にハンドル部を１８０度だけ回動させた状態を表す断面模式図である。
【符号の説明】
【００５８】
１０ 壁面、  １００ 浴槽、  ２００ 洗い場（床）、  ３１０ 水栓付カウンター、  ３２０ 洗面器置台カウンター、  ３３０ 鏡、  ３４１ シャワーホース、  ３４２ シャワーヘッド、  ４１０ 支持部、  ４２０ スライドバー、  ４３０ シャワーハンガー、  ４３１ カバー、  ４４０ フック部、  ４５０ 貫通孔部、  ４６０ 切替部、  ４６１ 本体部、  ４６１ａ 雌ねじ、  ４６３ ハンドル部、  ４６５ 連結部、  ４６５ａ 嵌合部、  ４６５ｂ 挿入孔、  ４６５ｃ 第１の螺旋部、  ４６５ｄ 螺旋壁面、  ４６５ｅ 雄ねじ、  ４６５ｆ 一端、  ４６５ｇ 他端、  ４６５ｈ 点、  ４６５ｉ 当接部、  ４６５ｊ 固定部材孔、  ４６７ 押し当て部材、  ４６７ａ 突起部、  ４６７ｂ 押し当て部、  ４６７ｃ 第２の螺旋部、  ４６７ｄ 螺旋壁面、  ４６７ｆ 一端、  ４６７ｇ 他端、  ４６７ｈ 当接部、  ４６９ キャップ、  ５０１ 固定部材
【図１】
2010106557.tif 000003
【図２】
2010106557.tif 000004
【図３】
2010106557.tif 000005
【図４】
2010106557.tif 000006
【図５】
2010106557.tif 000007
【図６】
2010106557.tif 000008
【図７】
2010106557.tif 000009